(57)【特許請求の範囲】
【請求項１】
第１のアクティブマトリクス領域と第２のアクティブマトリクス領域が形成された基板と対向基板との間にＴＮ型の液晶が保持された第１の液晶パネル及び第２の液晶パネルと、
前記第１及び前記第２の液晶パネルにおいて形成された二つの画像を同一投影面に重ねて投影する手段を有し、
前記第１の液晶パネルは前記第１のアクティブマトリクス領域側の第１の配向膜と前記対向基板側の第２の配向膜を有し、
前記第２の液晶パネルは前記第２のアクティブマトリクス領域側の第３の配向膜と前記対向基板側の第４の配向膜を有し、
前記第１の配向膜と前記第３の配向膜のラビング方向は互いに９０°異なり、
前記第２の配向膜と前記第４の配向膜のラビング方向は互いに９０°異なり、
前記第１及び前記第２の配向膜のラビング方向は前記第１のアクティブマトリクス領域の対角線の方向であり、前記第３及び前記第４の配向膜のラビング方向は前記第２のアクティブマトリクス領域の対角線の方向であり、
前記第１乃至前記第４の配向膜の各ラビング方向に合わせて、偏光板が前記第１の液晶パネル及び前記第２の液晶パネルを挟むように配置され、
前記第１の液晶パネルで形成された画像と前記第２の液晶パネルで形成された画像は偏光方向が互いに９０°異なり、
前記第１の液晶パネルには、前記第１のアクティブマトリクス領域を駆動する周辺回路が集積化され、
前記第２の液晶パネルには、前記第２のアクティブマトリクス領域を駆動する周辺回路が集積化され、
前記第１及び前記第２の液晶パネルの前記周辺回路は、前記第１及び前記第２のアクティブマトリクス領域に共通の垂直走査制御回路を有し、当該垂直走査制御回路は前記第１のアクティブマトリクス領域と前記第２のアクティブマトリクス領域の間に配置されることを特徴とする表示装置。
【請求項２】
請求項１において、右目部分と左目部分とが異なる偏光方向を有する偏光フィルターを配置した眼鏡を用いて、前記投影された画像を見ることができることを特徴とする表示装置。
【請求項３】
請求項１において、複数の観測者の少なくとも一は第１の眼鏡を用いて前記第１の液晶パネルにおいて形成された画像を見ることができ、他の観測者は第２の眼鏡を用いて前記第２の液晶パネルにおいて形成された画像を見ることができることを特徴とする表示装置。
【発明の詳細な説明】
【０００１】
【産業上の利用分野】
本明細書で開示する発明は、３次元画像や異なる２種類の画像を同一画面上に表示することができる表示装置に関する。
【０００２】
【従来の技術】
従来より異なる偏光状態を利用して右目用の画像と左目用の画像とを分離して認識し、３次元画像を得る方法が知られている。また、２つの投影装置を利用して右目用の画像と左目用の画像とを形成し、それらを右目と左目とで独立に見ることによって３次元画像を得る技術が知られている。（産業図書  増田千尋著  ３次元ディスプレイ参照）
【０００３】
このような構成を実現するに当たっては、その構成が複雑化し、その生産コストが高くなったり、信頼性が低下してしまうという問題がある。
【０００４】
また全体の構成が複雑化および大型化してしまうので、各種表示手段として手軽に応用しようとすることが困難であった。例えば、その表示手段をゲーム機に応用したり、公共施設の表示装置に応用したり、医療用に利用したりとすることが簡単にはできなかった。即ち、装置自体が複雑で大型なのでその汎用性が低かった。
【０００５】
【発明が解決しようとする課題】
本明細書で開示する発明は、安価で信頼性が高く、また汎用性に優れた３次元画像が表示できる表示装置を提供することを課題とする。また、３次元画像の表示と同様な原理により、２つの異なる画像を同時に１つの画面に表示することができる構成を提供することを課題とする。
【０００６】
【課題を解決するための手段】
本明細書で開示する発明の一つは、
第１の液晶パネルおよび第２の液晶パネルと、
前記２つの液晶パネルからの画像を同一投影面に重ねて投影する手段と、
を有し、
前記２つの液晶パネルは、光源側から第１の偏光板と第２の偏光板とを有し、
前記第１の液晶パネルの第１の偏光板の偏光方向と前記第２の液晶パネルの第２の偏光板の偏光方向とが同一または概略同一であることを特徴とする。
【０００７】
上記構成は図２に示すように２つの液晶パネル（図２の場合は同一基板を用いて２つの液晶パネルが集積化されている）のそれぞれの偏光板が図の矢印の向きで示されるような関係になっていることを特徴とする。
【０００８】
図２において、矢印２０４と２０５が第１の偏光板の偏光方向に相当し、矢印２０６と２０７が第２の偏光板の偏光方向に相当する。上記発明で特徴とするのは、一方の液晶パネルの第１の偏光板２０４と他方の液晶パネルの第２の偏光板２０７の偏光方向は同一または概略同一であるということである。
【０００９】
上記構成の具体的な構成のなかで最も簡単なものは、全く同一の液晶パネルを２つ容易し、一つを９０°回転させて配置し、２つの液晶パネルからの画像を光学系を用いて適当な投影面上で合成する構成である。
【００１０】
この場合例えば、一方の画像を右目用とし、他方の画像を左目用とする。そして、右目と左目とで９０°異なる画像を見ることができる特殊な眼鏡でもって見ることにより、立体画像を見ることができる。
【００１１】
また上記の構成の具体的な一例としては、後述する図１や図７に示す構成を挙げることができる。図１や図７に示す構成は、同一基板上にそれぞれ画像を形成できるアクティブマトリクス領域が集積化された、いわば複数の液晶パネルを複合化した構成を有する点でさらに顕著な特徴を有する。
【００１２】
他の発明の構成は、
第１の液晶パネルおよび第２の液晶パネルと、
前記２つの液晶パネルからの画像を同一投影面に重ねて投影する手段と、
を有し、
前記２つの液晶パネルは、光源側から第１の偏光板と第２の偏光板とを有し、
前記第１の液晶パネルの第２の偏光板の偏光方向と前記第２の液晶パネルの第２の偏光板の偏光方向とが９０°または概略９０°異なっていることを特徴とする。
【００１３】
上記構成の具体的な例を図２に示す。図２には、２つのアクティブマトリクス領域が集積化された液晶パネルにおいて、第１の液晶パネルに相当する部分の第２の偏光板の偏光方向２０６と第２の液晶パネルに相当する部分の第２の偏光板の偏光方向２０７の向きが互いに９０°異なっている構成が示されている。
【００１４】
他の発明の構成は、
同一基板を利用して集積化された複数のアクティブマトリクス領域と、
前記同一基板上に形成された複数のアクティブマトリクス領域の水平走査制御を複数のアクティブマトリクス領域に対して共通に行う水平走査制御回路と、
を有し、
前記複数のアクティブマトリクス領域上に配置される配向膜はその配向方向が９０°異なった２群に区分されることを特徴とする。
【００１５】
上記構成の具体的な例を図７に示す。図７に示す構成では、同一基板上に集積化されたアクティブマトリクス領域７０３〜７０５の水平走査を共通の水平走査制御回路７０１で行う構成が示されている。
【００１６】
また図７には、アクティブマトリクス領域７０３〜７０５上に配置される配向膜の配向方向と、アクティブマトリクス領域７０６〜７０８上に配置される配向膜の配向方向とが９０°異なっている構成が示されている。
【００１７】
他の発明の構成は、
同一基板を利用して集積化された複数のアクティブマトリクス領域と、
前記同一基板上に形成された複数のアクティブマトリクス領域の垂直走査制御を複数のアクティブマトリクス領域に対して共通に行う垂直走査制御回路と、
を有し、
前記複数のアクティブマトリクス領域上に配置される配向膜はその配向方向が９０°異なった２群に区分されることを特徴とする。
【００１８】
上記構成の具体的な構成は、図１または図７に示される。
【００１９】
他の発明の構成は、
同一基板を利用して集積化された複数のアクティブマトリクス領域と、
前記同一基板上に形成された複数のアクティブマトリクス領域の水平走査制御および垂直走査制御を複数のアクティブマトリクス領域に対してそれぞれ共通に行う水平走査制御回路および垂直走査制御回路と、
を有し、
前記複数のアクティブマトリクス領域上に配置される配向膜はその配向方向が９０°異なった２群に区分されることを特徴とする。
【００２０】
上記構成の具体的な例は図７に示される。
【００２１】
【実施例】
〔実施例１〕
本実施例は、異なる画像を複数の観察者によって見ることができる構成に関する。本実施例においては、その構成を簡略化し、さらにその信頼性を高め、さらにの生産コストを下げるために、さらにその汎用性を高めるために同一基板上に複数のアクティブマトリクス領域と該領域を駆動するための周辺回路領域とを集積化した液晶パネルを用いる。
【００２２】
この集積化した液晶パネルは、周辺回路が複数のアクティブマトリクス領域に対して共通化して配置されていることを特徴とする。このようにすることで、構成を簡略化することができ、また装置自体の信頼性を高めることができる。さらに作製コストを下げることができる。
【００２３】
図１に本実施例で用いる集積化された液晶パネルの概要を示す。図１に示すのは、同一のガラス基板または石英基板上にアクティブマトリクス領域１０４と１１１、さらにこれらのアクティブマトリクス領域を駆動するための共通の垂直走査制御回路２０３、アクティブマトリクス領域１０４を駆動するための水平走査制御回路２０１、アクティブマトリクス領域１１１を駆動するための水平走査制御回路２０２が集積化されて構成されている。
【００２４】
この構成は、同一の基板を用いて２つの液晶パネルを複合化（集積化）したものであるということができる。
【００２５】
各アクティブマトリクス領域１０４と１１１、水平走査制御回路２０１と２０２、さらに垂直走査制御回路２０３は、ガラス基板または石英基板上に薄膜集積化回路して直接形成されている。具体的には、結晶性を有する薄膜珪素半導体を用いた薄膜トランジスタでもって形成されている。
【００２６】
また、図１に示す構成においては、図からは明らかではないが、アクティブマトリクス領域１０４と１１１とにおいて、液晶を配向させるための配向膜のラビング方向が丁度９０°異なった状態とする。本実施例においては、ＴＮ型の液晶を用いて上記構成を実現させる。この構成は、各アクティブマトリクス領域で形成される画像の偏光方向をそれぞれ９０°異なる方向とするためである。
【００２７】
なお、本明細書におけるラビングの方向としては、全体としての配向方向を考える。即ち、微小な領域においては、配向の方向が微妙に変化しているような配向方法である場合、全体として液晶を配向させんとする方向でもって、配向方向を定義する。
【００２８】
図２に本実施例の光学的な構成の概略を示す。図において２０１が図１に示す構成がその表面に形成されたガラス基板または石英基板である。また２０２が対向基板を構成するガラス基板または石英基板である。そしてその隙間（図では大袈裟に示されている）にＴＮ型の液晶２０３が保持されている。
【００２９】
図示されているように、アクティブマトリクス領域１０４においては矢印２０４の方向に配向処理を行ったラビング膜を配置する。またアクティブマトリクス領域１１１においては矢印２０５の方向に配向処理を行ったラビング膜を配置する。
【００３０】
そして対向基板２０２側には、矢印２０６の方向に配向処理を行ったラビング膜と矢印２０７の方向に配向処理を行ったラビング膜を配置する。各ラビング膜はアクティブマトリクス領域１０４と１１１にそれぞれ対応するように配置される。
【００３１】
また煩雑になるので図示しないが、各ラビング方向に合わせて偏光板が基板２０１と２０２の外側に配置される。
【００３２】
各アクティブマトリクス領域で光学変調されることによって形成された画像は、投影レンズ２０８と２０９からスクリーン２１０上に重ねて投影される。それぞれの画像の偏光方向は、２０６と２０７で示されるものとなる。
【００３３】
即ち、アクティブマトリクス領域１０４で形成された画像は２０６で示される直線偏光方向を有するものとしてスクリーン２１０上に投影される。また、アクティブマトリクス領域１１１で形成された画像は２０７で示される直線偏光方向を有するものとしてスクリーン２１０上に投影される。
【００３４】
このスクリーンを普通に見たのでは、２つの画像が重なって見えてしまう。これは、人間の目には、偏光状態を識別する能力が無いからである。しかし、矢印で示す偏光方向を有した偏光フィルターを配置した特殊な眼鏡２１１と２１２を掛けてスクリーン２１０を見ると、２つの画像をそれぞれ分離して選択的に見ることができる。
【００３５】
即ち、アクティブマトリクス領域１０４で形成された画像は、２０６で示される偏光方向を有しているから、２１１で示す眼鏡によって選択的に見ることができる。この時、アクティブマトリクス領域１１１で形成された画像は２０７で示される偏光方向を有しているので、眼鏡２１１では見ることができない。
【００３６】
一方、アクティブマトリクス領域１１１で形成された画像は、２０７で示される偏光方向を有しているから、２１２で示す眼鏡によって選択的に見ることができる。この時、アクティブマトリクス領域１０４で形成された画像は２０６で示される偏光方向を有しているので、眼鏡２１２では見ることができない。
【００３７】
このように、本来液晶表示装置に配置されている偏光板を利用して、２つの異なる画像を同時に表示し、それを選択的に見ることができる。
【００３８】
本実施例に示す構成において、アクティブマトリクス領域１０４と１１１で形成される画像を同じものとすれば、２１０には偏光方向の違う同じ画面が表示される。この画面を普通に見た場合、普通の投影型の表示装置を見る場合と何ら変わるところはない。
【００３９】
即ち、本実施例に示す構成は、表示する画像を選択することで、普通の画像表示を行うことができる。
【００４０】
以下に参考のために図１に示す集積化された液晶パネルの動作方法について簡単に説明する。ここでは説明を簡単にするためアクティブマトリクス領域１０４における動作について説明する。なお、他のアクティブマトリクス領域においても同様な動作が同じタイミングで行われる。
【００４１】
図１において、２１１、２１６、２１２、２１３で示されるのはフリップフロップ回路である。フリップフロップ回路は、２つの安定状態をとることができる回路である。例えば、フリップフロップ回路２１６の入力（Ｘ1 の点）がＨ（論理レベルでHigh) の状態で出力（Ｘ2 の点）がＬ（論理レベルでLow)の状態にあるとする。ここでＣＬＫＨ（水平走査制御回路の動作クロック）の立ち上がりエッジが入力することで、その出力はＨレベルに変化する。即ち、Ｘ2 の点はＨレベルとなる。そしてこの状態は次のＣＬＫＨの立ち上がりエッジが入力しない限り維持される。
【００４２】
また例えば、フリップフロップ回路２１６の入力がＬの状態で出力がＨの状態にあるとする。ここでＣＬＫＨの立ち上がりエッジが入力することで、その出力はＬレベルに変化する。
【００４３】
また、フリップフロップ回路２１６の入力がＬの状態で出力もＬの状態にあるとする。ここでＣＬＫＨの立ち上がりエッジが入力した場合、その出力はＬレベルのままで維持される。
【００４４】
まず、ＣＬＫＶ（垂直走査制御回路の動作クロック）の立ち上がりエッジが垂直走査制御回路１０３のフリップフロップ回路２１２に入力する。ここで、ＨＳＴＡ（水平走査タイミングイネーブル信号）がＣＬＫＶによって打ち抜かれる。
【００４５】
即ち、ＨＳＴＡのＨレベルの信号がフリップフロップ回路２１２の入力に加わっている状態において、ＣＬＫＶの立ち上がりエッジがフリップフロップ回路２１２に入力することによって、フリップフロップ回路２１２の出力がＨレベルとなる。結果的にＹ1 行の信号レベルがＨ状態となる。
【００４６】
Ｙ1 行の信号レベルがＨ状態となることで、(1,1),(2,1),・・・(i,1) の各番地で示される各画素の薄膜トランジスタが全てＯＮとなる。
【００４７】
この状態において、ＣＬＫＨ（水平走査制御回路の動作クロック）の立ち上がりエッジがフリップフロップ回路２１１に入力し、ＣＬＫＨ（水平走査タイミングイネーブル信号）が打ち抜かれる。この結果、Ｘ1 における信号レベルがＨとなる。
【００４８】
上記のＣＬＫＨが入力した段階では、２１６以降のフリップフロップ回路の入力は全てＬのレベルであるから、この状態において２１６以降のフリップフロップ回路の出力は全てＬのレベルである。
【００４９】
そして画像サンプリング信号線２１８がＨレベルとなる。この結果、サンプリングホールド回路２１４においてＶA 画像の画像データが取り込まれる。そして画像信号線２１９に所定の画像データに対応した信号が流れる。即ち、(1,1),(1,2),・・・(1,j) の番地で示される各画素の薄膜トランジスタのソースに所定の画像信号が加わる状態となる。
【００５０】
この状態においては、(1,1),(2,1),・・・(i,1) の番地で示される各画素の薄膜トランジスタが全てＯＮ動作となっている。従って、(1,1) 番地の画素のみに画像情報の書込みが行われる。
【００５１】
次にＣＬＫＨの次の立ち上がりエッジによって、フリップフロップ回路２１１の出力はＬレベルへと変化する。またフリップフロップ回路２１６の出力はＨレベルへと変化する。こうしてＸ2 の点がＨレベルとなる。この状態でＸ2 以外のＸi で示される点は全てＬレベルである。
【００５２】
この結果、サンプリングホールド回路２１５において所定の画像データが取り込まれ、(2,1) 番地に対する情報の書込みが行われる。
【００５３】
このようにして、(i,1) 番地までの情報の書込みがＣＬＫＨのクロック信号に従って順次行われていく。
【００５４】
Ｙ1 行に対する情報の書込みが終了したら、ＣＬＫＶの次の立ち上がりエッジによって、フリップフロップ回路２１２の出力がＬレベルとなり、フリップフロップ回路２１３の出力がＨレベルとなる。
【００５５】
こうして、Ｙ2 行に対する情報の書込みが行われる。このようにして順次情報の書込みが各画素に対して行われ、最後に(i,j) 番地に対する情報の書込みが終了した時点で１フレームの表示が終了する。このフレームは例えば１秒間に３０回繰り返される。こうして画像の表示が行われる。
【００５６】
〔実施例２〕
本実施例は、立体画像を表示する構成に関する。図３の本実施例の光学的な構成の概要を示す。図１と符号の同じものは図１に示したものとその構成は同じである。
【００５７】
図３に示す構成においては、スクリーン２１０上に２０６と２０７とで示される偏光方向を有する２つの画像が重ねられて表示される。そこで本実施例においては、３０１で示すように右目部分と左目部分とで矢印で示されるように９０°異なる偏光方向を透過させる偏光フィルターを配置した眼鏡を用いてスクリーン２１０を見る。
【００５８】
また、アクティブマトリクス領域１０４で形成される画像を立体画像を構成する左目用の画像とし、アクティブマトリクス領域１１１で形成される画像を立体画像を構成する右目用の画像とする。
【００５９】
このようにすると、眼鏡３０１を掛けた人には、アクティブマトリクス領域１０４で形成された画像が左目に、アクティブマトリクス領域１１１で形成された画像が右目に選択的に入ることになる。そして、眼鏡３０１を掛けた人には立体画像が選択的に見えることになる。
【００６０】
本実施例に示す構成においてもアクティブマトリクス領域１０４と１１１に表示される画像を同じものとし、スクリーン２１０を普通に見ることにより、普通の２次元表示を行わすことができる。
【００６１】
〔実施例３〕
本実施例は、実施例１や実施例２に示した光学系の構成を有する表示装置に関する。図４に本実施例の概略の構成を示す。
【００６２】
図４において、４０５が図１にその概要を示す２つのアクティブマトリクス領域が集積化された液晶パネルである。図４において、光源４０１からの光はミラー４０２で反射され、さらにハーフミラー４０３とミラー４０４で反射されて２つの光線となる。これらの光は集積化された液晶パネル４０５に入射し、所定の光学変調を受ける。
【００６３】
液晶パネル４０５の２つのアクティブマトリクス領域は、それぞれカラーフィルターを用いたカラー画像を形成できるものとする。液晶パネル４０５で光学変調されることによって得られる２つの像は、光学系４０６を介してそれぞれ投影される。
【００６４】
光学系４０６からの投影光は、ミラー４０７で反射されてスクリーン４０８に投影される。液晶パネル４０５で光学変調された２つの画像は、スクリーン４０８において重ねて投影される。
【００６５】
ここで、図１にその原理を示すように２つの画像の偏光状態はともに９０°異なったものとなる。従って、図２や図３に示す構成に利用することができる。
【００６６】
〔実施例４〕
本実施例は、実施例１に示す異なる２つの画像を個別に見る構成において、異なる画像のクロストークをより改善した構成に関する。
【００６７】
実施例１に示した構成においては、９０°異なる直線偏光を利用しているので、頭を傾けると他の画像が見えてしまう。即ちクロストークが悪化してしまう。このことは、図２の場合でも図３の場合でもいえることである。
【００６８】
そこで、本実施例においては、図５に示すように各画像が通過する光路に１／４波長板５０１と５０２を配置する。すると、それぞれの画像は右回り偏光の画像と左回り偏光の画像になる。
【００６９】
図５に示す場合は、右回り円偏光の画像を透過する光学フィルターを備えた眼鏡５０３を掛けた人と、左回り円偏光の画像を透過する光学フィルターを備えた眼鏡５０４を掛けた人とでそれぞれ異なる画像を見ることができる。
【００７０】
本実施例に示す構成を採用した場合、２つの画像のクロストークを低減させることができる。
【００７１】
〔実施例５〕
本実施例は、図６に示すように図５と同様に各画像が通過する光路に１／４波長板５０１と５０２を配置し、立体画像を表示する場合の例である。
【００７２】
図６に示す構成の場合は、６０１で示されるような特定の旋回方向の円偏光を透過する光学フィルターを備えた眼鏡を掛けることで、右回り円偏光の画像を透過する光学フィルターを透過する右目用の画像と、左回り円偏光の画像を透過する光学フィルターを透過した左目用の画像とをそれぞれ右目と左目とで選択的に見ることができる。そして立体画像を見ることができる。
【００７３】
本実施例に示す構成を採用した場合、右目用の画像と左目用の画像とのクロストークを低減させることができる。
【００７４】
〔実施例６〕
本実施例は、図１に示す構成をさらに拡張し、多数のアクティブマトリクス領域を集積化した場合の例である。
【００７５】
図７に本実施例で示す集積化された液晶パネルの概略の構成を示す。図７に示すのは、ＲＧＢでなるカラー画像を独立に２つ形成することができる。
【００７６】
図７に示す構成においては、水平走査制御回路７０１によって、アクティブマトリクス領域７０３、７０４、７０５の水平走査を制御する。また水平走査制御回路７０２によって、アクティブマトリクス領域７０６、７０７、７０８の水平走査を制御する。
【００７７】
また垂直走査制御回路７０９によって、アクティブマトリクス領域７０３と７０６の垂直走査を制御する。また垂直走査制御回路７１０によって、アクティブマトリクス領域７０４と７０７の垂直走査を制御する。また垂直走査制御回路７１１によって、アクティブマトリクス領域７０５と７０８の垂直走査を制御する。
【００７８】
図７に示す構成においては、７０３〜７０５で示されるアクティブマトリクス領域上に配置された配向膜のラビング方向（配向方向）と７０６〜７０８で示されるアクティブマトリクス領域上に配置された配向膜のラビング方向（配向方向）とを９０°異ならせたものとする。
【００７９】
このような構成は、同一基板上に集積化されるもので、全体の構成を簡略化することができ、また作製コストを低減させることができる。特に水平走査制御回路および／または垂直走査制御回路を複数のアクティブマトリクス領域に対して共通に配置することができることは非常に有用なこととなる。
【００８０】
【発明の効果】
本明細書の構成を採用することで、簡単な構成で異なる画像の表示や立体画像の表示を行うことができる。特に構成を簡略化できるので、装置の汎用性を高めることができる。また、安価で信頼性が高く、また汎用性に優れた３次元画像が表示できる表示装置を提供することができる。また、３次元画像の表示と同様な原理により、２つの異なる画像を同時に１つの画面に表示することができる構成を提供することができる。
【図面の簡単な説明】
【図１】  集積化された液晶パネルの構成を示す図。
【図２】  異なる画像を投影する光学的な構成の概略を示す図。
【図３】  立体画像を投影する光学的な構成の概略を示す図。
【図４】  表示装置の概略を示す図。
【図５】  異なる画像を投影する光学的な構成の概略を示す図。
【図６】  立体画像を投影する光学的な構成の概略を示す図。
【図７】  集積化された液晶パネルの構成を示す図。
【符号の説明】
１０４、１１１                  アクティブマトリクス領域
２０１、２０１                  水平走査制御回路
２０３                          垂直走査制御回路
２１１、２１６、２１２、２１３  フリップフロップ回路
２１８、２２０                  画像サンプリング信号線
２１４、２１５                  サンプリングホールド回路
２１９、２２２                  画像信号線
２２１、２１７                  ゲイト信号線
２０１、２０２                  ガラス基板または石英基板
２０３                          液晶
２０４、２０５、２０６、２０７  ラビング方向
２０８、２０９                  投影レンズ
２１０                          スクリーン
２１１、２１２、３０１          偏光フィルターを備えた眼鏡
４００                          表示装置の筐体
４０１                          光源
４０２、４０４                  ミラー
４０３                          ハーフミラー
４０５                          集積化された液晶パネル
４０６                          光学系
４０７                          ミラー
４０８                          スクリーン
５０１、５０２                  １／４波長板
５０２、６０１                  特定に円偏光状態を透過させるフィルターを備えた眼鏡
【図１】
0004011132.tif 000002
【図２】
0004011132.tif 000003
【図３】
0004011132.tif 000004
【図４】
0004011132.tif 000005
【図５】
0004011132.tif 000006
【図６】
0004011132.tif 000007
【図７】
0004011132.tif 000008